(57)【特許請求の範囲】
【請求項１】
ベース基材にＩＣチップとアンテナとが実装されたインレットを備えるＲＦタグと、
上記インレットの長手方向の長さよりも長く形成されるとともに上記ＲＦタグを内部に保持するテープ材を備え、該テープ材が糸状に圧縮された状態とされている芯線と、
該芯線の外周を被覆する被覆糸と、
を有する、複合糸。
【請求項２】
上記テープ材は、撚り合わされることなく糸状に圧縮された状態とされている、請求項１に記載の複合糸。
【請求項３】
上記テープ材は、第１テープ部と第２テープ部とを備え、
上記第１テープ部と上記第２テープ部とにより上記ＲＦタグが挟持されている、請求項１または２に記載の複合糸。
【請求項４】
上記テープ材は、上記第１テープ部の一部と上記第２テープ部の一部とが接合されてなる接合部を有しており、該接合部により上記テープ材の内部に上記ＲＦタグが固定されている、請求項３に記載の複合糸。
【請求項５】
上記テープ材は、不織布または樹脂フィルムより構成されている、請求項１〜４のいずれか１項に記載の複合糸。
【請求項６】
上記被覆糸は、上記芯線の外周に編み込まれている、請求項１〜５のいずれか１項に記載の複合糸。
【請求項７】
上記被覆糸は、上記芯線の外周に巻回されている、請求項１〜５のいずれか１項に記載の複合糸。
【請求項８】
上記ＲＦタグは、上記ベース基材における実装面側の表面に貼り合された保護基材を備える、請求項１〜７のいずれか１項に記載の複合糸。
【請求項９】
上記保護基材は、基材本体層と、該基材本体層の上記ベース基材側に形成された粘着層とを有しており、上記基材本体層の材質は、二軸延伸ポリプロピレン、および、ポリフェニレンサルファイドからなる群より選択される１種である、請求項８に記載の複合糸。
【請求項１０】
上記芯線または上記被覆糸は、造影糸を含む、請求項１〜９のいずれか１項に記載の複合糸。
【請求項１１】
請求項１〜１０のいずれか１項に記載の複合糸を有する、手術用ガーゼ。
【請求項１２】
経糸と緯糸とを有しており、上記経糸の１つに上記複合糸が用いられている、請求項１１に記載の手術用ガーゼ。
【発明の詳細な説明】
【技術分野】
【０００１】
本発明は、複合糸および手術用ガーゼに関する。
【背景技術】
【０００２】
近年、ＩＣチップとアンテナとを有するＲＦタグを用いる無線通信技術であるＲＦＩＤの応用開発が種々の分野で行われている。例えば、医療分野では、識別情報を記録したＲＦタグを手術用ガーゼに取り付けることにより、手術用ガーゼの使用枚数等を正確に把握し、ガーゼ遺残の防止を図ろうとする取り組みがなされている。この種の手術用ガーゼとしては、ＲＦタグを挟み込んだ不織布をガーゼ本体の一方面に溶着により一体化したもの（特許文献１参照）が上市されている。
【０００３】
また、例えば、衣類の分野では、ＲＦタグを担持させた複合糸を衣類に取り付け、これにより衣類を管理する提案がなされている。この種の複合糸としては、例えば、特許文献２に、糸表面に無電解めっきによるアンテナを形成した後、ＩＣチップを取り付けた支持体を糸本体にらせん状に巻き付け、支持体の端子部分をアンテナに接着した後、これを保持糸でカバーリングしてなる複合糸が開示されている。
【先行技術文献】
【特許文献】
【０００４】
【特許文献１】特開２０１３−２１２２１９号公報
【特許文献２】特開２０１３−１８９７１８号公報
【発明の概要】
【発明が解決しようとする課題】
【０００５】
しかしながら、従来技術は、以下の点で課題がある。すなわち、ＲＦタグを挟み込んだ不織布をガーゼ本体表面に溶着して一体化する技術によれば、ＲＦタグの取り付け部分がその周囲よりも明らかに硬くなる。そのため、デリケートな臓器に触れる手術用ガーゼとしては使いづらい。
【０００６】
一方、従来の複合糸は、カバーリングした保持糸の隙間から外部にＩＣチップが露出するおそれがある。ＩＣチップは、硬くて角があるものが多い。そのため、上記複合糸を手術用ガーゼに適用した場合には、使用時に露出したＩＣチップが臓器に触れるおそれがある。それ故、上記複合糸を手術用ガーゼに適用するのは難しい。
【０００７】
さらに、上記複合糸は、糸表面に無電解めっき処理を施したり、ＩＣチップを取り付けた支持体の端子部分を、糸表面のアンテナと接触するように正確に巻き付けたりするなど、複雑な製造工程が必要となる。そのため、上記複合糸は、生産性に劣る。
【０００８】
本発明は、上記背景に鑑みてなされたものであり、柔らかく、ＩＣチップが外部に露出し難く、生産性の高い複合糸、これを用いた手術用ガーゼを提供しようとするものである。
【課題を解決するための手段】
【０００９】
本発明の一態様は、ベース基材にＩＣチップとアンテナとが実装されたインレットを備えるＲＦタグと、
上記インレットの長手方向の長さよりも長く形成されるとともに上記ＲＦタグを内部に保持するテープ材を備え、該テープ材が糸状に圧縮された状態とされている芯線と、
該芯線の外周を被覆する被覆糸と、
を有する、複合糸にある。
【００１０】
本発明の他の態様は、上記複合糸を有する手術用ガーゼにある。
【発明の効果】
【００１１】
上記複合糸は、上述した構成の芯線を有している。この芯線は、ＲＦタグを内部に保持するテープ材が糸状に圧縮された状態とされているため、柔らかい。特に、芯線のうち、ＲＦタグの保持部分以外の部分は、ＲＦタグが内部にないため、より柔らかい。また、上記複合糸は、糸形状を呈しているため、手術用ガーゼ表面に溶着して一体化する必要がなく、手術用ガーゼを構成する糸として使用することができる。そのため、上記複合糸によれば、ＲＦタグを有さない手術用ガーゼと比べても遜色のない柔らかさで使いやすく、かつ、ＲＦＩＤに対応した手術用ガーゼを得ることができる。
【００１２】
また、上記複合糸は、芯線の内部にＲＦタグが保持されている上、芯線の外周が被覆糸で被覆されている。そのため、上記複合糸は、ＲＦタグのＩＣチップが外部に露出するのを抑制することができる。
【００１３】
さらに、上記複合糸は、例えば、ＲＦタグを内部に保持するテープ材の外周に被覆糸を被覆することにより、テープ材が糸状に圧縮された状態の芯線を比較的簡単に形成することができる。そのため、上記複合糸は、従来の複合糸のような複雑な製造工程が不要となり、生産性に優れる。
【００１４】
上記手術用ガーゼは、上記複合糸を有している。そのため、上記手術用ガーゼは、ＲＦタグを有さない手術用ガーゼと比べても遜色のない柔らかさで使いやすく、かつ、ＲＦＩＤに対応することができる。
【図面の簡単な説明】
【００１５】
【図１】実施例１の複合糸を模式的に示した説明図である。
【図２】図１のＩＩ−ＩＩ線断面を模式的に示した説明図であり、（ａ）は実施例１の複合糸の断面図、（ｂ）は（ａ）の変形例である。
【図３】実施例１の複合糸において、糸状に圧縮された状態とされる前のテープ材を分解して模式的に示した説明図である。
【図４】図３に示されるＲＦタグのＩＶ−ＩＶ線断面である。
【図５】実施例１の複合糸において、糸状に圧縮された状態とされる前のテープ材の外観を模式的に示した説明図である。
【図６】図４のＶＩ−ＶＩ線断面を模式的に示した説明図である。
【図７】実施例２の手術用ガーゼを模式的に示した説明図である。
【発明を実施するための形態】
【００１６】
上記複合糸において、ＲＦタグは、ベース基材にＩＣチップとアンテナとが実装されたインレットを備えている。ベース基材は、具体的には、例えば、ポリエステル、ポリフェニレンサルファイド（ＰＰＳ）、二軸延伸ポリプロピレン（ＯＰＰ）などより構成することができる。
【００１７】
上記複合糸において、ＲＦタグは、具体的には、例えば、ベース基材における実装面側の表面に貼り合された保護基材を備える構成とすることができる。この場合には、保護基材によりＩＣチップ、アンテナが覆われるため、ＩＣチップ、アンテナが薬品によって侵され難くなる。そのため、複合糸の耐薬品性を向上させることができる。
【００１８】
とりわけ、保護基材は、基材本体層と、この基材本体層のベース基材側に形成された粘着層とを有しており、基材本体層の材質が、二軸延伸ポリプロピレン、および、ポリフェニレンサルファイドからなる群より選択される１種であることが好ましい。この場合には、ＩＣチップ、アンテナが漂白剤によって侵され難くなる。そのため、この複合糸を手術用ガーゼに適用した場合には、ガーゼ製造時における漂白時に、ＩＣチップ、アンテナが漂白剤によって侵され難いため、手術用ガーゼに好適な複合糸が得られる。また、保護基材が粘着層を有することにより、ベース基材と保護基材との密着が高まり、ＩＣチップ、アンテナの密封性が向上する。そのため、複合糸の漂白剤に対する耐性向上に有利である。また、ベース基材に保護基材の粘着層を貼り合わせるだけで、ベース基材に保護基材を密着させることができるので、複合糸の生産性向上にも有利である。基材本体層の材質は、比較的低コストで漂白剤に対する耐性が高い観点から、二軸延伸ポリプロピレンであるとよい。
【００１９】
上記複合糸において、テープ材は、具体的には、撚り合わされることなく糸状に圧縮された状態とされていることが好ましい。この場合には、テープ材が幅方向内方に縮められているため、芯線を柔らかくしやすい。そのため、この場合には、テープ材が撚り合わされて糸状に圧縮された状態とされている場合に比べ、柔らかい複合糸を得やすい。また、テープ材が撚り合わされると、テープ材が捻じれて長手方向で縮みやすくなり、上記複合糸の製造時に、芯線方向のＲＦタグの位置制御が難しくなる。これに対し、テープ材が撚り合わされることなく糸状に圧縮された状態とされている場合には、テープ材が捻じれて縮むこともないので、芯線方向のＲＦタグの位置制御が容易な複合糸が得られる。また、この場合には、撚り合わせ工程も不要となるため、この観点からも生産性の向上に有利な複合糸が得られる。
【００２０】
上記複合糸において、テープ材は、第１テープ部と第２テープ部とを備え、第１テープ部と第２テープ部とによりＲＦタグが挟持されている構成とすることができる。この場合には、例えば、第１テープ部の一方表面にＲＦタグを配置し、第２テープ部を重ね合わせることにより、ＲＦタグを内部に保持するテープ材を比較的簡単に構成することができる。そのため、この場合には、生産性の高い複合糸を得やすくなる。
【００２１】
上記複合糸において、テープ材が第１テープ部および第２テープ部を有する場合、テープ材は、第１テープ部の一部と第２テープ部の一部とが接合されてなる接合部を有しており、この接合部によりテープ材の内部にＲＦタグが固定されている構成とすることができる。この場合には、接合部によりＲＦタグの位置ずれを抑制することができるので、必要な位置にＲＦタグが確実に配置された複合糸を得やすくなる。
【００２２】
上記複合糸において、テープ材は、具体的には、例えば、不織布または樹脂フィルムより構成することができる。この場合には、テープ材を糸状に圧縮された状態としやすい。テープ材は、好ましくは、不織布より構成されているとよい。この場合には、テープ材を糸状に圧縮された状態としやすいうえ、テープ材が樹脂フィルムで構成されている場合に比べ、より柔らかい複合糸を得やすくなる。なお、上述した第１テープ部、第２テープ部としては、具体的には、テープ状に形成された不織布または樹脂フィルムなどを用いることができる。
【００２３】
不織布は、より具体的には、例えば、ポリエステル、ポリアミド、ポリプロピレン等のポリオレフィンなどより構成することができる。また、樹脂フィルムは、より具体的には、例えば、ポリエステル、ポリフェニレンサルファイド、二軸延伸ポリプロピレンなどより構成することができる。
【００２４】
上記複合糸において、被覆糸は、具体的には、例えば、ポリエステル、ポリアミド、綿などより構成することができる。被覆糸は、具体的には、例えば、芯線の外周に編み込まれていてもよいし、芯線の外周に巻回されていてもよい。好ましくは、前者である。被覆糸が芯線の外周に巻回されると、芯線が捻じれて長手方向で縮む場合があり、上記複合糸の製造時に、芯線方向のＲＦタグの位置制御が難しい場合がある。これに対し、被覆糸が芯線の外周に編み込まれている場合には、芯線が縮み難くなるため、芯線方向のＲＦタグの位置制御が容易な複合糸を得やすくなる。なお、被覆糸は、具体的には、例えば、芯線の外周に、リリアン編みにて編み込まれた構造とすることができる。この場合には、被覆糸のカバリング時に、比較的簡単に被覆糸によってテープ材が幅方向内方に縮められるため、テープ材が糸状に圧縮された状態とされた芯線を得やすくなる。なお、被覆糸は、１本、２本、またはそれ以上の本数より構成することができる。
【００２５】
上記複合糸において、芯線または被覆糸は、造影糸を含む構成とすることができる。この場合には、Ｘ線透過装置により上記複合糸の位置を特定することが可能となる。そのため、この場合には、従来の手術用ガーゼにおける造影糸を、上記複合糸に代替えするだけで、ＲＦＩＤに対応した手術用ガーゼが得られる。
【００２６】
上記複合糸の用途としては、手術用ガーゼ以外にも、具体的には、例えば、クリーニング等における衣類の管理、在庫管理、入退室管理などが挙げられる。
【００２７】
上記手術用ガーゼは、具体的には、例えば、経糸と緯糸とが織り込まれて形成されており、経糸の１つに上記複合糸が用いられている構成とすることができる。この場合には、ガーゼ製造時に、緯糸として上記複合糸を飛ばす必要がないので、製造性に優れたＲＦＩＤ対応の手術用ガーゼが得られる。
【００２８】
上記手術用ガーゼは、上記複合糸以外にも、公知の造影糸を有することができる。なお、上述したように、上記複合糸として造影糸を含むものを用いた場合には、従来の手術用ガーゼにおける造影糸を、上記複合糸に代替えするだけでＲＦＩＤに対応した手術用ガーゼが得られる。
【００２９】
なお、上述した各構成は、上述した各作用効果等を得るなどのために必要に応じて任意に組み合わせることができる。
【実施例】
【００３０】
以下、実施例の複合糸および手術用ガーゼについて、図面を用いて説明する。なお、同一部材については同一の符号を用いて説明する。
【００３１】
（実施例１）
実施例１の複合糸について、図１〜図６を用いて説明する。図１〜図６に示されるように、本例の複合糸１は、ＲＦタグ２と、芯線３と、被覆糸４とを有する。
【００３２】
ＲＦタグ２は、ベース基材２０１にＩＣチップ２０２とアンテナ２０３とが実装されたインレット２０を備えている。本例では、インレット２０は、短冊状のベース基材２０１の表面に導電性ペースト（アルミニウム、銅、銀等）を用いてアンテナ２０３が印刷されている。ベース基材２０１の材質は、ポリエステルである。アンテナ２０３の長手方向の中央部にＲＦＩＤ用のＩＣチップが搭載されている。なお、この種のインレット２０としては、例えば、日立化成社の「ＩＭ５−ＤＩＮ６００４−Ｒ」を用いることができる。
【００３３】
また、本例では、ＲＦタグ２は、ベース基材２０１における実装面側の表面に貼り合された保護基材２０４を備えている。保護基材２０４は、基材本体層２０４ａと、この基材本体層２０４ａのベース基材２０１側に形成された粘着層２０４ｂとを有している。基材本体層２０４ａの材質は、具体的には、二軸延伸ポリプロピレンである。なお、この種の保護基材２０４としては、例えば、ＯＰＰテープ（寺岡製作所社製、「４６５＃４０」）などを用いることができる。なお、図３では、保護基材２０４が透明であるため、ベース基材２０１と保護基材２０４との間に存在するＩＣチップ２０２、アンテナ２０３が保護基材２０４の表面に透けて見える様子が描かれている。
【００３４】
芯線３は、ＲＦタグ２を内部に保持するテープ材３０を備えている。テープ材３０は、テープ状（帯状）に形成された材料である。テープ材３０は、インレット２０の長手方向の長さよりも長く形成されている。なお、糸状に圧縮された状態とされる前のテープ材３０のテープ幅は、インレット２０の挟持のしやすさ、糸形成性、糸径などの観点から、１０〜２５ｍｍ程度とすることができ、本例では、２０ｍｍとされている。
【００３５】
芯線３では、テープ材３０は、糸状に圧縮された状態とされている。本例では、テープ材３０は、撚り合わされることなく糸状に圧縮された状態とされている。テープ材３０は、概略、図２（ａ）のようにテープ幅方向で縮められることにより、糸状に丸められている。なお、図２において、テープ材３０の長手方向は、紙面に垂直な方向である。また、図２（ｂ）は、変形例の一つを例示したものである。テープ材３０は、図２に示されるように、芯線３の柔らかさを増す観点から、空隙３００を含むように糸状に圧縮されているとよい。
【００３６】
本例では、テープ材３０は、第１テープ部３０１と第２テープ部３０２とを備えている。第１テープ部３０１および第２テープ部３０２は、いずれもポリエステル製の不織布より構成されている。ＲＦタグ２は、第１テープ部３０１と第２テープ部３０２とにより挟持されている。
【００３７】
なお、本例では、複合糸１は、芯線３に複数のＲＦタグ２を含んでいる。各ＲＦタグ２は、芯線３の長手方向に所定距離隔てて配置されている。具体的には、各ＲＦタグ２は、手術用ガーゼの経糸方向または緯糸方向の幅と同じ長さを一区切りとしてテープ材３０が長手方向に区切られた場合に、各一区切りに対してＲＦタグ２が１つずつ含まれるように配置されることができる。そのため、本例の複合糸１は、上記一区切りの長さで切断されることにより、ＲＦタグ２を１つ含む複合糸１を採取可能とされている。
【００３８】
本例では、テープ材３０は、第１テープ部３０１の一部と第２テープ部３０２の一部とが接合されて形成された接合部３０３を有している。ＲＦタグ２は、接合部３０３によりテープ材３０の内部に固定されている。接合部３０３は、具体的には、テープ材３０の長手方向に垂直な方向にＲＦタグ２を跨ぐように延びており、テープ材３０の長手方向に複数配置されている。本例では、接合部３０３は、第１テープ部３０１と第２テープ部３０２とによりＲＦタグ２が挟持された状態で、第１テープ部３０１の一部と第２テープ部３０２の一部とが溶着されることによって形成されたものである。
【００３９】
被覆糸４は、芯線３の外周を被覆している。本例では、被覆糸４の材質は、具体的には、ポリエステルである。被覆糸４は、芯線３の外周に編み込まれている。編み構造は、具体的には、リリアン編みである。
【００４０】
複合糸１は、例えば、以下のようにして製造することができる。ＲＦタグ２を内部に保持するテープ材３０を準備する。テープ材３０の外周に被覆糸４を被覆しながら、被覆糸４によってテープ材３０をテープ幅方向に縮めて糸状に圧縮する。これにより、複合糸１を得ることができる。
【００４１】
複合糸１は、上述した構成の芯線３を有している。この芯線３は、ＲＦタグ２を内部に保持するテープ材３０が糸状に圧縮された状態とされているため、柔らかい。特に、芯線３のうち、ＲＦタグ２の保持部分以外の部分は、ＲＦタグ２が内部にないため、より柔らかい。また、複合糸１は、糸形状を呈しているため、手術用ガーゼ表面に溶着して一体化する必要がなく、手術用ガーゼを構成する糸として使用することができる。そのため、複合糸１によれば、ＲＦタグ２を有さない手術用ガーゼと比べても遜色のない柔らかさで使いやすく、かつ、ＲＦＩＤに対応した手術用ガーゼを得ることができる。
【００４２】
また、複合糸１は、芯線３の内部にＲＦタグ２が保持されている上、芯線３の外周が被覆糸４で被覆されている。そのため、複合糸１は、ＲＦタグ２のＩＣチップ２０２が外部に露出するのを抑制することができる。
【００４３】
さらに、複合糸１は、ＲＦタグ２を内部に保持するテープ材３０の外周に被覆糸４を被覆することにより、テープ材３０が糸状に圧縮された状態の芯線３を比較的簡単に形成することができる。そのため、複合糸１は、従来の複合糸のような複雑な製造工程が不要となり、生産性に優れる。
【００４４】
（実施例２）
実施例２の手術用ガーゼについて、図７を用いて説明する。本例の手術用ガーゼ５は、複合糸１を有している。本例では、具体的には、手術用ガーゼ５は、経糸５１と緯糸５２とが織り込まれて形成されており、経糸５１の１つに複合糸１が用いられている。
【００４５】
なお、手術用ガーゼ５における複合糸１は、手術用ガーゼ５の経糸方向の幅と同じ長さで実施例１の複合糸１が切断されて採取されたものであり、ＲＦタグ２を１つ含んでいる。複合糸１のその他の構成は、実施例１と同様である。
【００４６】
手術用ガーゼ５は、複合糸１を有している。そのため、手術用ガーゼ５は、ＲＦタグ２を有さない手術用ガーゼと比べても遜色のない柔らかさで使いやすく、かつ、ＲＦＩＤに対応することができる。
【００４７】
また、ガーゼ製造時における漂白時に、ＩＣチップ２０２、アンテナ２０３が漂白剤によって侵され難いため、白く、柔らかで、使いやすく、ＲＦＩＤに対応することができる手術用ガーゼ５が得られる。
【００４８】
以上、本発明の実施例について詳細に説明したが、本発明は上記実施例に限定されるものではなく、本発明の趣旨を損なわない範囲内で種々の変更が可能である。
【符号の説明】
【００４９】
１  複合糸
２  ＲＦタグ
２０  インレット
２０１  ベース基材
２０２  ＩＣチップ
２０３  アンテナ
３  芯線
３０  テープ材
４  被覆糸
５  手術用ガーゼ
【要約】
【課題】柔らかく、ＩＣチップが外部に露出し難く、生産性の高い複合糸、これを用いた手術用ガーゼを提供する。
【解決手段】複合糸１は、ＲＦタグ２と、芯線３と、被覆糸４とを有する。ＲＦタグ２は、ベース基材２０１にＩＣチップ２０２とアンテナ２０３とが実装されたインレット２０を備える。芯線３は、ＲＦタグ２を内部に保持するテープ材３０を備える。テープ材３０は、インレット２０の長手方向の長さよりも長く形成されている。芯線３では、テープ材３０は、糸状に圧縮された状態とされている。被覆糸４は、芯線３の外周を被覆している。
【選択図】図２【図１】
0005982052.tif 000002
【図２】
0005982052.tif 000003
【図３】
0005982052.tif 000004
【図４】
0005982052.tif 000005
【図５】
0005982052.tif 000006
【図６】
0005982052.tif 000007
【図７】
0005982052.tif 000008